(57)【要約】【課題】本発明は、デッキ組立て完成後であっても、床材の取り付け及び取り外しが容易にでき、かつデッキの水平調整を簡単に行うことができる簡易型ユニットデッキを提供する。【解決手段】床材１と床材２又は床材３と床材４の隙間に開錠工具２３を挿入し、固定金具１７の固定ピン２４を前記開錠工具２３の鉤部２５により嵌合させスライドさせて開錠し、この状態で前記開錠工具２３を持上げることにより、簡易型ユニットデッキの前記支持脚１８の位置にある前記床材１又は床材４を取り外すことができる。その後トレンチ嵌合孔に六角トレンチを嵌合してネジ脚を回転させることにより、支持脚全体を上昇又は下降させることができる。【選択図】図４
2011089352.tif 000002
【特許請求の範囲】
【請求項１】
微小間隔を開けて４列平行に配置された平板状の床材を設け、中央の２枚の床材はフレーム枠に固定ビス等によって固定されており、左右端の２枚の床材は固定金具による係脱により取り付け取り外し自在に構成されている簡易型ユニットデッキにおいて、矩形のフレーム枠は四隅に三角形の脚取付フランジを固定し、該脚取付フランジの中央には支持脚のネジ棒を螺合できる螺合孔が形成され、前記フレーム枠の内周側には、前記床材を支持するための６個の取付フランジが２辺の対抗する側に設けられ、中央の対抗する２枚の前記取付フランジには床材がビス等により固定される一方、左右の対抗する４枚の前記取付フランジには、前記床材と点対称の位置となるようにピン挿入孔及び挿入溝がそれぞれ設けられ、また前記床材は前記取付フランジに対抗する位置の底面に係合ピンを突出させ、長手方向の側面全長に渡りスリットを形成し、前記床材の片面内側には固定金具を嵌合させ、該固定金具はコ字状の金属製矩形板からなり、コ字状の一方端を前記床材のスリットに嵌合させ、コ字状の他方端を床材に沿ってスライド可能に支持させ、前記床材には突出させたピンを設け、該ピンに嵌合する長孔を前記固定金具の側面部に開口させ、さらに前記側面部の両端に鉤状となる係合片を突設させ、そして前記ピン挿入孔及び前記挿入溝には前記床材の前記係合ピン及び前記係合片がそれぞれ嵌合されることを特徴とする簡易型ユニットデッキ。
【請求項２】
前記フレーム枠の外周側には、側壁面に沿って断面Ｌ状の鈎片がそれぞれ設けられ、下向きのオス鈎片、上向きのメス鈎片として、それぞれが側壁面に沿って設けられることを特徴とする請求項１記載の簡易型ユニットデッキ。
【発明の詳細な説明】
【技術分野】
【０００１】
本発明は、住宅や屋外施設に備えるベランダやテラス等に設置する簡易型ユニットデッキに関する。
【背景技術】
【０００２】
従来、施工後の強度及び剛性を高めると共に、施工時間の短縮及び手間の軽減を図り、更に高品質化と交換作業の容易化を実現するウッドデッキの施工方法が知られている（特許文献１を参照）。
この公知技術では、上面にＣ形チャンネル部を有する根太材と、側面にスリットを有するデッキ材と、前記スリットに差し込み可能な係止頭部を有するボルト部材及びＣ形チャンネル部に収容し且つ回り止めされるナット部材からなる固定具とを用意し、前記根太材を所定間隔置きに配すると共に、前記根太材の上面にデッキ材を交叉するように並べて配し、Ｃ形チャンネル部に収容したナット部材に対して、スリットに係止頭部を差し込んだボルト部材を螺着することにより、前記デッキ材を前記根太材に固定するウッドデッキの施工方法である。
【０００３】
また、根太の上に床材を敷設する際に、床材と床材との連結、および前記根太に対する床材の固定を行うことができる床材連結金具および床材連結方法が知られている（特許文献２を参照）。
この公知技術では、根太材はレベル調整ボルトによって高さが調整され、水平面となるように取り付けられ、水平になっている根太材の上には下部連結金具と該下部連結金具にスライド自在に嵌合している上部連結金具を介して床材が取り付けられており、ドライバーのような工具を床材と床材の隙間に挿入して、上部連結金具の側部に当てて、ハンマーで前記ドライバーの少し上部を叩くことにより、上部連結金具がスライドして外れるものである。
【先行技術文献】
【特許文献】
【０００４】
【特許文献１】特開２００６−２０７３６３号公報
【特許文献２】特開２００７−９４１２号公報
【発明の概要】
【発明が解決しようとする課題】
【０００５】
本発明は、デッキ組立て完成後であっても、床材の取り付け及び取り外しが容易にでき、かつデッキの水平調整を簡単に行うことができる簡易型ユニットデッキを提供することを目的とする。
【課題を解決するための手段】
【０００６】
本発明の簡易型ユニットデッキは、微小間隔を開けて４列平行に配置された平板状の床材を設け、中央の２枚の床材はフレーム枠に固定ビス等によって固定されており、左右端の２枚の床材は固定金具による係脱により取り付け取り外し自在に構成されている簡易型ユニットデッキにおいて、矩形のフレーム枠は四隅に三角形の脚取付フランジを固定し、該脚取付フランジの中央には支持脚のネジ棒を螺合できる螺合孔が形成され、前記フレーム枠の内周側には、前記床材を支持するための６個の取付フランジが２辺の対抗する側に設けられ、中央の対抗する２枚の前記取付フランジには床材がビス等により固定される一方、左右の対抗する４枚の前記取付フランジには、前記床材と点対称の位置となるようにピン挿入孔及び挿入溝がそれぞれ設けられ、また前記床材は前記取付フランジに対抗する位置の底面に係合ピンを突出させ、長手方向の側面全長に渡りスリットを形成し、前記床材の片面内側には固定金具を嵌合させ、該固定金具はコ字状の金属製矩形板からなり、コ字状の一方端を前記床材のスリットに嵌合させ、コ字状の他方端を床材に沿ってスライド可能に支持させ、前記床材には突出させたピンを設け、該ピンに嵌合する長孔を前記固定金具の側面部に開口させ、さらに前記側面部の両端に鉤状となる係合片を突設させ、そして前記ピン挿入孔及び前記挿入溝には前記床材の前記係合ピン及び前記係合片がそれぞれ嵌合されるものである。
前記フレーム枠の外周側には、側壁面に沿って断面Ｌ状の鈎片がそれぞれ設けられ、下向きのオス鈎片、上向きのメス鈎片として、それぞれが側壁面に沿って設けられるものである。
【発明の効果】
【０００７】
本発明の簡易型ユニットデッキは、床材の片面内側には固定金具を嵌合させ、該固定金具はコ字状の金属製矩形板からなり、コ字状の一方端を前記床材のスリットに嵌合させ、コ字状の他方端を床材に沿ってスライド可能に支持させ、前記床材には突出させたピンを設け、該ピンに嵌合する長孔を前記固定金具の側面部に開口させ、さらに前記側面部の両端に鉤状となる係合片を突設させ、そして取付フランジのピン挿入孔及び前記挿入溝には前記床材の前記係合ピン及び前記係合片がそれぞれ嵌合されるものであるため、デッキ組立て後であっても、開錠工具により床材の取り付け及び取り外しが容易にできるので、トレンチ嵌合孔に六角トレンチを嵌合してネジ脚を回転させることにより、前記支持脚全体を上昇又は下降させることができ、簡易型ユニットデッキの水平調整を簡単に行うことができる効果がある。
【図面の簡単な説明】
【０００８】
【図１】本発明の簡易型ユニットデッキの正面図である。
【図２】本発明の簡易型ユニットデッキの平面図である。
【図３】本発明の簡易型ユニットデッキの底面図である。
【図４】取り外し可能な床材の斜視図である。
【図５】本発明の簡易型ユニットデッキの床材を取り外した状態の平面図である。
【図６】取り外し可能な床材の取り付け状態の説明図である。
【図７】本発明の簡易型ユニットデッキの配列図である。
【図８】本発明の簡易型ユニットデッキの配列パターン図である。
【図９】本発明の簡易型ユニットデッキの他の実施例の配列図である。
【図１０】本発明の簡易型ユニットデッキの他の実施例の配列パターン図である。
【発明を実施するための形態】
【０００９】
本発明の簡易型ユニットデッキの一実施例を添付図面に基づいて、以下に説明する。
図１の正面図に示すように、本発明の簡易型ユニットデッキは、微小間隔を開けて４列平行に配置された平板状の床材１，２，３，４を設け、中央の２枚の床材２，３はフレーム枠５に固定ビス等によって固定されており、左右端の２枚の床材１，４は固定金具(図示せず)による係脱により取り付け取り外し自在に構成されている。
【００１０】
図２の平面図に示すように、４列平行に配置された平板状の床材１，２，３，４の左右端の床材１，４は、中央部内側に固定金具(図示せず)による係脱により取り付け取り外し可能位置を示すマーク印６を備えている。
【００１１】
図３の底面図に示すように、矩形のフレーム枠５は四隅に三角形の脚取付フランジ７を固定し、該脚取付フランジ７の中央には支持脚８のネジ棒(図示せず)を螺合できる螺合孔９が形成されている。
前記フレーム枠５の内周側には、前記床材１，２，３，４を支持するための６個の取付フランジ１０が上下２辺の対抗する側に設けられ、中央の対抗する２枚の前記取付フランジ１０には床材２，３がビス等により固定される。
一方、左右の対抗する４枚の前記取付フランジ１０には、前記床材１，４と点対称の位置となるように丸孔のピン挿入孔１１及び長孔の挿入溝１２がそれぞれ設けられ、前記ピン挿入孔１１及び挿入溝１２には、前記床材１，４の後述する係合ピン１５及び係合片２０がそれぞれ嵌合される。
前記フレーム枠５の外周側には、側壁面に沿って断面Ｌ状の鈎片１３，１４がそれぞれ設けられ、図１に示すように下向きのオス鈎片１３、上向きのメス鈎片１４として、それぞれが側壁面に沿って設けられる。すなわち、図１においては正面がメス鈎片１４、右側がオス鈎片１３、左側がメス鈎片１４、背面は図示されていないがオス鈎片１３又はメス鈎片１４となっている。
これらのオス鈎片１３及びメス鈎片１４は、本発明の簡易型ユニットデッキを組み立てる時に、それぞれに差し込み嵌合させて多数個の簡易型ユニットデッキを連結することができる。
【００１２】
図４の斜視図に示すように、前記床材１は木材又は再生木材を使用し、前記取付フランジ１０に対抗する位置の底面に係合ピン１５を突出させ、長手方向の側面全長に渡りスリット１６を形成し、前記床材１の片面内側には固定金具１７を嵌合させ、該固定金具１７はコ字状の金属製矩形板からなり、コ字状の一方端を前記スリット１６に嵌合させ、コ字状の他方端を床材１に沿ってスライド可能に支持させ、さらに前記床材１には突出させたピン１８を設け、該ピン１８に嵌合する長孔１９を前記固定金具１７の側面部に開口させてある。なお、前記床材４は、前記床材１と点対称の構成となっている。
前記固定金具１７は、側面部の両端に鉤状となる係合片２０を突設させ、該係合片２０が前記取付フランジ１０の挿入溝１２に一方が挿入され、他方が前記取付フランジ１０の外側から挟むように係合される。
【００１３】
図５の図１の床材１を取り外した状態の平面図に示すように、前記フレーム枠５の上下両端隅部には前記脚取付フランジ７を設け、前記脚取付フランジ７には高さ調節可能な支持脚８が螺合される。前記支持脚８のネジ棒(図示せず)は、前記脚取付フランジ７の中央の螺合孔９に螺合され、前記支持脚８の軸方向中央には六角トレンチ(図示せず)が嵌合するトレンチ嵌合孔２１が形成されている。なお、図５においては、上側のみに前記支持脚８が螺合されている。
前記支持脚８の高さ調節する場合は、前記トレンチ嵌合孔２１に六角トレンチ(図示せず)を嵌合して前記支持脚８を回転させることにより、前記脚取付フランジ７の螺合孔９に螺着されている前記支持脚８外周に形成されたネジ山の螺旋回転によって前記支持脚８全体を上昇又は下降させることができる。
【００１４】
図６の一部省略説明図に示すように、前記フレーム枠５上端に設けた支持枠２２に前記床材１のスリット１６を嵌合させて床材１の片側を支持し、図４の前記床材１の前記固定金具１７を左側端に移動させた状態で図６の上方位置から下方へ押し下げることにより、前記床材１のピン１５は、前記フレーム枠５の前記取付フランジ１０のピン挿入孔１１に挿入され、前記固定金具１７の係合片２０が前記フレーム枠５の前記取付フランジ１０の挿入溝１２に挿入されて、前記床材１を前記フレーム枠５に嵌合させることができる。
前記床材１を固定保持させるためには、図４に示す開錠工具２３により前記固定金具１７に設けた固定ピン２４を右方向に移動させることによって前記固定金具１７を右方向にスライドさせ、左右の前記係合片２０を取付フランジ１０に差し込み固定させることができる。
【００１５】
次に、本発明の簡易型ユニットデッキの組立て動作を添付図面に基づいて、以下に説明する。
図７に本発明の簡易型ユニットデッキの市松模様状の配列図の一例を示す。
前記床材１、２，３，４を縦方向に並べたユニットデッキをＡタイプ、床材１、２，３，４を横方向に並べたユニットデッキをＢタイプとし、すなわち前記取付フランジ１０の位置によりＡタイプ及びＢタイプに分け、図７の左上隅の簡易型ユニットデッキを説明の便宜上、基本形のユニットデッキＡ0とする。
前記ユニットデッキＡ0は、四隅に支持脚８(○印で示す)を螺合して基本形のフレーム枠５（外周四辺がメス鈎片１４、すなわち上方がメス鈎片１４、下方がメス鈎片１４、左方がメス鈎片１４、右方がメス鈎片１４）とし、前記床材１，２，３，４を縦方向に並べた状態に設ける。
すなわち、床材１，４は、図２のマーク印６を備えた個所で図４に示す開錠工具２３により固定金具１７による係脱により取り付け取り外し自在に構成されているので、前記開錠工具２３の鉤部２５に固定ピン２４を係合しスライドさせて前記床材１，４を取り外して、４つの支持脚８の高さ調節を行うことができる。
【００１６】
図７の前記ユニットデッキＡ0の右側のユニットデッキをユニットデッキＢ0とし、前記基本形フレーム枠５を９０°回転させた姿勢の前記床材１，２，３，４を横方向に並べた状態とする。
前記ユニットデッキＢ0は、上方がメス鈎片１４、下方がメス鈎片１４、左方がオス鈎片１３、右方がメス鈎片１４とする。
前記ユニットデッキＢ0は、右側に２つの支持脚８を設けて図４に示す開錠工具２３により前記床材１，４を取り外して２つの支持脚８の高さ調節を行うことができる。
【００１７】
図７の前記ユニットデッキＡ0の下側のユニットデッキをユニットデッキＢ1とし、前記基本形フレーム枠５を９０°回転させた姿勢の前記床材１，２，３，４を横方向に並べた状態とする。
前記ユニットデッキＢ1は、上方がオス鈎片１３、下方がメス鈎片１４、左方がメス鈎片１４、右方がオス鈎片１３又はメス鈎片１４を無しとする。
前記ユニットデッキＢ1は、下側に２つの支持脚８を設けて図４に示す開錠工具２３により前記床材４を取り外して２つの支持脚８の高さ調節を行うことができる。
【００１８】
図７の前記ユニットデッキＡ0の右斜め下側のユニットデッキをユニットデッキＡ1とし、前記基本形フレーム枠５と同様に前記床材１，２，３，４を縦方向に並べた状態とする。
前記ユニットデッキＡ1は、上方がオス鈎片１３、下方がメス鈎片１４、左方がオス鈎片１３、右方がメス鈎片１４とする。
前記ユニットデッキＡ1は、右側に２つの支持脚８を設けて図４に示す開錠工具２３により前記床材４を取り外して２つの支持脚８の高さ調節を行うことができる。
【００１９】
図７の前記ユニットデッキＢ1の下側のユニットデッキをユニットデッキＡ2とし、前記基本形フレーム枠５と同様に前記床材１，２，３，４を縦方向に並べた状態とする。
前記ユニットデッキＡ2は、上方がオス鈎片１３、下方がメス鈎片１４、左方がメス鈎片１４、右方がオス鈎片１３又はメス鈎片１４を無しとする。
前記ユニットデッキＡ2は、下側に２つの支持脚８を設けて図４に示す開錠工具２３により前記床材１，４を取り外して２つの支持脚８の高さ調節を行うことができる。
したがって、ユニットデッキの種類は、前記床材１，２，３，４を縦方向に並べたＡ0、Ａ1、Ａ2と、床材１，２，３，４を横方向に並べたＢ0、Ｂ1の５パターンとなる。
これら５パターンのユニットデッキを使用して市松模様に配列する手順を以下に説明する。
【００２０】
本発明の簡易型ユニットデッキを市松模様に設置する場合には、住宅や屋外施設に備えるベランダやテラス等にこれらの簡易型ユニットデッキＡ0、Ａ1、Ａ2、Ｂ0、Ｂ1を隣接するように上下左右に並べて組立てする。
図８に示すように、本発明の簡易型ユニットデッキを市松模様状に設置する場合には、基本形のユニットデッキＡ0を起点として順にオス鈎片１３及びメス鈎片１４を上下に噛合わせて接続し、前記ユニットデッキＡ0から横方向には、Ａ0→Ｂ0→Ａ1→Ｂ0→Ａ１→・・・以下同様に、Ｂ0→Ａ１の繰り返しになり、一方基本形のユニットデッキＡ0を起点として順にオス鈎片１３及びメス鈎片１４を上下に噛合わせて接続し、前記ユニットデッキＡ0から縦方向にはＡ0→Ｂ1→Ａ2→Ｂ1→Ａ2→・・・以下同様に、Ｂ1→Ａ2の繰り返しになる。前記ユニットデッキＡ0から２列目以降は、横方向に前記配列の繰り返しを行うことになる。このようにして市松模様状に本発明の簡易型ユニットデッキを設置する。
なお、本発明の簡易型ユニットデッキを市松模様状に配列した場合を説明したが、これに限らず、図１０に示す（ａ）並列パターン、（ｂ）縦横並列パターン、（ｃ）市松模様パターンなどがある。
【００２１】
次に、本発明の簡易型ユニットデッキを図１に示す状態から図６に示す左端の床材１を取り外す場合について説明すると、図４に示すように前記床材１の固定金具１７はコ字状の一方端を前記スリット１６に嵌合させ、コ字状の他方端を床材１に沿ってスライド可能に支持させ、さらに前記床材１には突出させたピン１８を設け、該ピン１８に嵌合する長孔１９を前記固定金具１７の側面部に開口させてある。
図４に示す開錠工具２３を床材１と床材２の隙間に挿入して前記開錠工具２３の鉤部２５を前記固定金具１７の固定ピン２４に係合させて、前記開錠工具２３を左側にスライドさせ(前記固定金具１７の係合片２０を取付フランジ１０との係合から外す)、この状態で前記開錠工具２３を持上げることにより、前記床材１を持ち上げる。
【００２２】
その後、図５に示すように前記床材１を完全に取り外すことにより、本発明の簡易型ユニットデッキの前記脚取付フランジ７を露出させる。そして、前記支持脚８のトレンチ嵌合孔２１に六角トレンチ(図示せず)を嵌合して前記ネジ脚(図示せず)を回転させることにより、前記支持脚８全体を上昇又は下降させることができる。
前記支持脚８の調整が終了して床材１を戻す時には、図６で示す床材１の上方状態から下方状態へ押し込み移動させることにより、簡易型ユニットデッキに前記床材１を嵌め込む。
そして、図４に示す開錠工具２３を床材１と床材２の隙間に挿入して前記開錠工具２３の鉤部２５を前記固定金具１７の固定ピン２４に係合させて、前記開錠工具２３を右側にスライドさせ、前記固定金具１７の係合片２０を取付フランジ１０に係合固定させることにより組み立てが終了する。
【００２３】
さらに、本発明の簡易型ユニットデッキの他の実施例として、図９の配列図には床材を２倍の長さにした図７と同様な簡易型ユニットデッキを示す。
図１０に示すように、本発明の簡易型ユニットデッキの他の実施例の配列図には、（ａ）並列パターン、（ｂ）縦横並列パターン、（ｃ）市松模様パターンなどがある。
【符号の説明】
【００２４】
１  床材(着脱自在)
２  床材
３  床材
４  床材(着脱自在)
５  フレーム枠
６  マーク印
７  脚取付フランジ
８  支持脚
９  螺合孔
１０  取付フランジ
１１  ピン挿入孔
１２  挿入溝
１３  オス鈎片
１４  メス鈎片
１５  係合ピン
１６  スリット
１７  固定金具
１８  ピン
１９  長孔
２０  係合片
２１  トレンチ嵌合孔
２２  支持枠
２３  開錠工具
２４  固定ピン
２５  鉤部
【図１】
2011089352.tif 000003
【図２】
2011089352.tif 000004
【図３】
2011089352.tif 000005
【図４】
2011089352.tif 000006
【図５】
2011089352.tif 000007
【図６】
2011089352.tif 000008
【図７】
2011089352.tif 000009
【図８】
2011089352.tif 000010
【図９】
2011089352.tif 000011
【図１０】
2011089352.tif 000012